(57)【要約】【課題】アクティブマトリクス型の液晶表示装置において、縞模様が表示されてしまうことを抑制する。【解決手段】Ｄ１〜Ｄ８で示される画像データ信号が供給される配線とコンタクトするＤ１’〜Ｄ８’で示されるサンプリング回路への配線にダミー配線部分を設ける。このダミー配線部分は、バッファー回路側に延在しており、Ｄ１〜Ｄ８で示される配線が有するインピーダンスを互いに均一化するために機能する。このような構成とすることにより、Ｄ１〜Ｄ８から漏洩される画像データ信号を均一化し、縞模様表示が行われてしまうことを抑制することができる。【選択図】図７
2006099135.tif 000002
【特許請求の範囲】
【請求項１】
同一基板上にアクティブマトリクス回路と周辺駆動回路とが配置されており、
前記周辺駆動回路は走査側駆動回路と信号側駆動回路とを有し、
前記信号側駆動回路は、
シフトレジスタ回路と、
画像データ信号を供給する複数のバス線と、
複数の前記バス線それぞれと１本ずつ接続された複数の配線と、
前記シフトレジスタ回路からの信号によって前記画像データ信号を複数の前記配線を介して選択するサンプリング回路と、
複数の前記配線とは切り離された複数のダミー配線とを有し、
複数の前記バス線の内の１本の前記バス線は、複数の前記配線と同じ数でもって複数の前記配線と交叉し、
前記１本の前記バス線以外の複数の前記バス線のそれぞれは、前記配線及び前記ダミー配線と交叉し、前記配線と交叉する箇所と前記ダミー配線と交叉する箇所の合計は複数の前記配線と同じ数であることを特徴とする表示装置。
【請求項２】
同一基板上にアクティブマトリクス回路と周辺駆動回路とが配置されており、
前記周辺駆動回路は走査側駆動回路と信号側駆動回路とを有し、
前記信号側駆動回路は、
シフトレジスタ回路と、
画像データ信号を供給する複数のバス線と、
複数の前記バス線それぞれと１本ずつ接続された複数の配線と、
前記シフトレジスタ回路からの信号によって前記画像データ信号を複数の前記配線を介して選択するサンプリング回路と、
複数の前記配線とは切り離された複数のダミー配線とを有し、
複数の前記バス線の内の１本の前記バス線は、複数の前記配線の全てと交叉し、
前記１本の前記バス線以外の複数の前記バス線のそれぞれは、前記配線及び前記ダミー配線と交叉し、
前記１本の前記バス線が複数の前記配線の全てと交叉する数と、前記１本の前記バス線以外の複数の前記バス線のそれぞれが、前記配線及び前記ダミー配線と交叉する数は等しいことを特徴とする表示装置。
【請求項３】
同一基板上にアクティブマトリクス回路と周辺駆動回路とが配置されており、
前記周辺駆動回路は走査側駆動回路と信号側駆動回路とを有し、
前記信号側駆動回路は、
多段に配置されたシフトレジスタ回路と、
前記シフトレジスタ回路と電気的に接続されたバッファー回路と、
画像データ信号を供給する複数のバス線と、
複数の前記バス線それぞれと１本ずつ接続された複数の配線と、
複数の前記配線とは切り離された複数のダミー配線と、
前記シフトレジスタ回路の１段から前記バッファ回路を介して供給される信号によって、前記画像データ信号を複数の前記配線を介して選択するサンプリング回路とを有し、
複数の前記バス線の内の１本の前記バス線は、複数の前記配線と同じ数でもって前記配線と交叉し、
前記１本の前記バス線以外の複数の前記バス線のそれぞれは、前記配線及び前記ダミー配線と交叉し、前記配線と交叉する箇所と前記ダミー配線と交叉する箇所の合計は複数の前記配線と同じ数であることを特徴とする表示装置。
【請求項４】
同一基板上にアクティブマトリクス回路と周辺駆動回路とが配置されており、
前記周辺駆動回路は走査側駆動回路と信号側駆動回路とを有し、
前記信号側駆動回路は、
多段に配置されたシフトレジスタ回路と、
前記シフトレジスタ回路と電気的に接続されたバッファー回路と、
画像データ信号を供給する複数のバス線と、
複数の前記バス線それぞれと１本ずつ接続された複数の配線と、
複数の前記配線とは切り離された複数のダミー配線と、
前記シフトレジスタ回路の１段から前記バッファ回路を介して供給される信号によって、前記画像データ信号を複数の前記配線を介して選択するサンプリング回路とを有し、
複数の前記バス線の内の１本の前記バス線は、複数の前記配線の全てと交叉し、
前記１本の前記バス線以外の複数の前記バス線のそれぞれは、前記配線及び前記ダミー配線と交叉し、
前記１本の前記バス線が複数の前記配線の全てと交叉する数と、前記１本の前記バス線以外の複数の前記バス線のそれぞれが、前記配線及び前記ダミー配線と交叉する数は等しいことを特徴とする表示装置。
【請求項５】
請求項１乃至請求項４のいずれか一項において、
前記表示装置はＥＬ表示装置であることを特徴とする表示装置。
【請求項６】
請求項１乃至請求項４のいずれか一項において、
前記表示装置は液晶表示装置であることを特徴とする表示装置。
【請求項７】
請求項１乃至請求項４のいずれか一項において、
前記表示装置は投写型の液晶表示装置であることを特徴とする表示装置。
【請求項８】
請求項１乃至請求項７のいずれ一項において、
前記表示装置を、デジタルスチールカメラ、電子カメラ、ビデオムービー、パーソナルコンピュータ、またはカーナビゲーションシステムに利用することを特徴とする表示装置。
【発明の詳細な説明】
【技術分野】
【０００１】
本明細書で開示する発明は、アクティブマトリクス型を有する表示装置の構成に関する
。特にアクティブマトリクス領域を駆動する周辺駆動回路の構成に関する。
【背景技術】
【０００２】
同一基板上に周辺駆動回路をも一体化したアクティブマトリクス型の液晶表示装置が知
られている。この構成は、一枚のガラス基板や石英基板上にアクティブマトリクス回路に
配置される薄膜トランジスタと周辺駆動回路に配置される薄膜トランジスタとを同一プロ
セスによって作製することによって得られる。
【０００３】
薄膜トランジスタは、一般にＰ−Ｓｉと表記される結晶性を有する珪素薄膜でもって構
成されている。
【０００４】
周辺駆動回路は、機能的に走査側駆動回路（ゲイトドライバー回路）と信号側駆動回路
（ソースドライバー回路）とに分けられる。走査側駆動回路からの駆動信号は、アクティ
ブマトリクス回路にマトリクス状に配置された薄膜トランジスタ（画素トランジスタ）の
ゲイトに加わる。また、信号側駆動回路（ソースドライバー回路）からの駆動信号は、マ
トリクス状に配置された薄膜トランジスタ（画素トランジスタ）のソースに加わる。
【０００５】
一般に走査側駆動回路には、数十ｋＨｚ〜数百ｋＨｚで動作することが要求される。ま
た、信号側駆動回路には数ＭＨｚ〜数十ＭＨｚで動作することが要求される。
【０００６】
しかしながら、現状において得られる薄膜トランジスタでは、数ＭＨｚまでの動作を保
障することが限界である。従って、走査側駆動回路を薄膜トランジスタでもって構成する
ことは問題がないが、信号側駆動回路を薄膜トランジスタで構成した場合、必要とする動
作を行わすことができない。
【０００７】
この問題を回避するために、多相駆動（データ分割駆動）方式が利用されている。これ
は、画像データ信号を複数に分割し、その分割された画像データを複数同時にシフトレジ
スタ回路からの信号によって選択するものである。このようにすることにより、シフトレ
ジスタ回路に要求される動作周波数を下げることができる。画像データ信号を４分割すれ
ば、シフトレジスタ回路に要求される動作周波数を１／４にすることができる。
【０００８】
この多相駆動については、日経ＢＰ社発行のフラットパネル・ディスプレイ１９９４（
Ｐ．１８２）  に記載されている。
【０００９】
図３に示すのは、データ信号を８分割する形式を有する信号側駆動回路の一例である。
図３に示す構成においては、シフトレジスタ回路１０からバッファー回路を介して供給さ
れる信号によって、バス信号線１２に供給される画像データ信号がサンプリング回路１３
において選択され、画像信号線に送られる。
【００１０】
バス信号線１２は８分割されている。この構成においては、一つのシフトレジスタ回路
からの信号によって、８つのアナログスイッチ回路が同時に動作し、８本の画像信号線（
ソース配線）に対してそれぞれ対応するバス信号線から同時に画像信号が選択される。
【００１１】
図４に図３におけるバス信号線部分の配線パターンの様子を示す。ここで、Ｄ１’〜Ｄ
８’で示されるのがバス信号線にコンタクトし、サンプリング回路のアナログスイッチに
至る配線である。また、ａ１〜ａ８で示されるのが、バッファー回路からサンプリング回
路のアナログスイッチに至る配線である。
【発明の開示】
【発明が解決しようとする課題】
【００１２】
図３及び図４に示すような構成を有するアクティブマトリクス型の液晶表示装置の表示
を観察すると、周期的な縞模様が観察される。この縞模様を詳細に観察すると、図４に示
すＤ１’〜Ｄ８’の配線の繰り返しに対応していることが分かる。
【００１３】
これは、Ｄ１’とＤ８’とでは、対応する部分の配線抵抗と寄生容量とが大きく異なる
ために生じる。配線抵抗の違いは、Ｄ１〜Ｄ８で示される配線とＤ１’〜Ｄ８’で示され
る配線とが交叉する部分における乗り越え部の数の違いによって生じる。
【００１４】
Ｄ１〜Ｄ８で示される配線がＤ１’〜Ｄ８’で示される配線と交叉する部分では、どち
らかの配線が他方の配線を乗り越える状態となるので、その部分で配線を構成する導電材
料の膜厚が部分的に薄くなってしまう。この膜厚が薄くなった部分では当然抵抗が大きく
なる。またこの交叉部では交叉する配線間で容量が形成される。
【００１５】
従って、乗り越え部分の数が異なれば、図５に示すように総配線抵抗と総寄生容量とが
異なるものとなってしまう。（なお図５においてはバッファー回路からの配線については
考慮が払われていない。）
【００１６】
このような状況においては、信号線Ｄ１を伝播する信号と信号線Ｄ８を伝播する信号と
では、伝播の状況が異なるものとなってしまう。
【００１７】
即ち、Ｄ１よりＤ８を伝播する信号の方が寄生容量を介して逃げてしまう信号の成分が
大きいものとなる。
【００１８】
従って、Ｄ８を伝播する信号の大きさは、Ｄ１を伝播するものに比較して相対的に小さ
いものとなってしまう。（なお、両配線に同じ信号が伝播するものと仮定する）
【００１９】
この傾向は、Ｄ１〜Ｄ８に向かうに従って顕在化する。これは、Ｄ１よりＤ２、Ｄ２よ
りＤ３となるに従って、配線抵抗や寄生容量によって失われる信号の損失が大きいものと
なるからである。
【００２０】
この傾向は、実際の表示において、同時に情報が書き込まれる画素群における情報量の
違いとなる。換言すれば、各画素に蓄えられる電荷量の違いとして表れる。そして、この
蓄積される電荷量の違いは、縞模様として観察されてしまうことになる。
【００２１】
本明細書で開示する発明は、上記のような要因によって生じてしまう縞模様表示を解消
する技術を提供することを課題とする。
【課題を解決するための手段】
【００２２】
本明細書で開示する発明の一つは、
同一基板上にアクティブマトリクス回路と周辺駆動回路とＡ本（Ａは２以上の自然数）
の画像データ信号を供給する配線とが配置されており、
アクティブマトリクス回路には、画像信号線と走査信号線とが配置されており、
周辺駆動回路には、多段に配置されたシフトレジスタ回路と、該シフトレジタ回路から
の信号によって画像データ信号を選択するサンプリング回路と、が配置されており、
サンプリング回路において、１段のシフトレジスタ回路からの信号によってＡ本の画像
信号線に対しての画像データ信号がＡ本の画像データ信号を供給する配線からそれぞれ同
時に選択され、
前記Ａ本の画像データを供給する配線の内のＡ−１本はダミーの配線と交叉しているこ
とを特徴とする。
【００２３】
上記構成において、ダミーの配線としては、図１に示すようにサンプリング回路へと延
在する配線Ｄ２’〜Ｄ８’からバッファー回路方向へと延在した配線パターンを挙げるこ
とができる。
【００２４】
また、図７に示すように適当な電位を有した共通配線Ｃに接続され、配線Ｄ２’〜Ｄ８
’からは切り離された配線を設ける構成を挙げることができる。
【００２５】
どちらの場合もＡ＝８の場合である。また、Ｄ１〜Ｄ７（即ちＡ−１本）の配線とダミ
ー配線とが交叉する構造となっている。
【００２６】
本明細書で開示する他の発明は、図２にその具体的な構成例（この場合Ａ＝８）を示す
ように、
同一基板上にアクティブマトリクス回路と周辺駆動回路とＡ本（Ａは２以上の自然数で
この場合はＡ＝８）の画像データ信号を供給する配線（バス配線）とが配置されており、
アクティブマトリクス回路には、画像信号線と走査信号線とが配置されており、
周辺駆動回路には、多段に配置されたシフトレジスタ回路と、該シフトレジタ回路から
の信号によって画像データ信号を選択するサンプリング回路と、が配置されており、
サンプリング回路において、１段のシフトレジスタ回路からの信号によってＡ本の画像
信号線に対しての画像データ信号がＡ本の画像データ信号を供給する配線（バス線）から
それぞれ同時に選択され、
Ａ本の画像データを供給する配線にコンタクトしサンプリング回路へと延在する配線は
、その全てがＡ本の画像データ信号を供給する配線（バス配線）とＡ箇所において重なる
ことを特徴とする。
【００２７】
上記のような構成とすると、バス線全てがサンプリング回路への配線と同じ数でもって
交叉する。従って、交叉部において形成される抵抗と容量をバス線の全てにおいて同じも
のとすることができる。そして、バス線を伝播する信号の損失の違いを是正することがで
きる。
【００２８】
他の発明の構成は、
同一基板上にアクティブマトリクス回路と周辺駆動回路とＡ本（Ａは２以上の自然数）
の画像データ信号を供給する配線とが配置されており、
アクティブマトリクス回路には、画像信号線と走査信号線とが配置されており、
周辺駆動回路には、多段に配置されたシフトレジスタ回路と、該シフトレジタ回路から
の信号によって画像データ信号を選択するサンプリング回路と、が配置されており、
サンプリング回路において、１段のシフトレジスタ回路からの信号によってＡ本の画像
信号線に対しての画像データ信号がＡ本の画像データ信号を供給する配線からそれぞれ同
時に選択され、
Ａ本の画像データを供給する配線にコンタクトし前記サンプリング回路へと延在する配
線はその全てがＡ本の画像データ信号を供給する配線（バス配線）と同じ回数重なりあっ
ていることを特徴とする。
【００２９】
他の発明の構成は、
同一基板上にアクティブマトリクス回路と周辺駆動回路とＡ本（Ａは２以上の自然数）
の画像データ信号を供給する配線とが配置されており、
アクティブマトリクス回路には、画像信号線と走査信号線とが配置されており、
周辺駆動回路には、多段に配置されたシフトレジスタ回路と、該シフトレジタ回路から
の信号によって画像データ信号を選択するサンプリング回路と、が配置されており、
サンプリング回路において、１段のシフトレジスタ回路からの信号によってＡ本の画像
信号線に対しての画像データ信号がＡ本の画像データ信号を供給する配線からそれぞれ同
時に選択され、
Ａ本の画像データを供給する配線にコンタクトし前記サンプリング回路へと延在するＡ
本の配線の内、Ａ−１本の配線はサンプリング回路とは反対の方向に延在したダミーパタ
ーンを有することを特徴とする。
【００３０】
上記のダミーパターンの例としては、図１のＤ１’〜Ｄ８’で示される配線に設けられ
たものを挙げることができる。このダミーパターンを配置することにより、Ａ本（図１の
場合はＡ＝８）の画像データを供給する配線Ｄ１〜Ｄ８が有する配線抵抗と寄生容量とが
平均化される。
【発明の効果】
【００３１】
本明細書に開示する発明を利用することにより、画像データ信号を供給する複数の配線
それぞれが有するインピーダンスを均一化することができる。そしてアクティブマトリク
ス領域に供給される画像信号の損失を平均化することができ、、縞模様表示を抑制するこ
とができる。
【００３２】
そして高い表示特性を有するアクティブマトリクス表示装置を得ることができる。本明
細書中においては、液晶表示を例にとり説明を行った。しかし、アクティブマトリクス型
のＥＬ型表示装置やその他フラットパネルディスプレイに本明細書で開示する発明を利用
することができる。
【発明を実施するための最良の形態】
【００３３】
図１に本明細書で開示する発明を利用した代表的な構成を示す。図１に示す構成におい
ては、画像データ信号を供給する配線Ｄ１〜Ｄ８の全てに対してサンプリング回路への配
線Ｄ１’〜Ｄ８’が全て同じ数でもって交叉するように配置されている。
【００３４】
即ち、本来は配線として必要とされないダミー配線をバッファー回路側に延在させ、信
号線Ｄ１〜Ｄ８の有する寄生容量と抵抗がそれぞれ均一化されるようにしている。
【００３５】
こうすることにより、Ｄ１〜Ｄ８を伝播する画像データ信号の損失の違いを是正するこ
とができる。そして、縞模様表示が表れてしまうことを抑制することができる。
【実施例１】
【００３６】
本実施例では、周辺駆動回路を一体化したアクティブマトリクス型の液晶表示装置の構
成を示す。図２に示すのは、信号側駆動回路の構成である。
【００３７】
図２に示す構成においては、シフトレジスタ回路からバッファ回路を介して供給される
信号によってサンプリング回路のアナログスイッチが動作し、バス線から対応する画像信
号線に画像データ信号が供給される。
【００３８】
本実施例においては、バス線とサンプリング回路への配線との交叉部分を図１に示すよ
うなパターンとする。即ち、ダミーの配線部がシフトレジスタ回路側に延在した構造とす
る。
【００３９】
このような構成とすることで、各バス線が有する配線抵抗と容量とを均一化することが
できる。
【００４０】
そして、各バス線を伝播する画像データ信号の損失を平均化することができる。そして
このことにより、縞模様が表示されてしまうことを抑制することができる。
【実施例２】
【００４１】
本明細書に開示する発明は、周辺駆動回路を一体化したアクティブマトリクス型の液晶
表示装置やアクティブマトリクス型のＥＬ表示装置に利用することができる。これらの表
示装置は、フラットパネルディスプレイと総称されている。
【００４２】
これらの表示装置は、以下に示すような用途に利用することができる。図６（Ａ）に示
すのは、デジタルスチールカメラや電子カメラ、または動画を扱うことができるビデオム
ービーと称される装置である。
【００４３】
この装置は、カメラ部２００２に配置されたＣＣＤカメラ（または適当な撮影手段）で
撮影した画像を電子的に保存する機能を有している。そして撮影した画像を本体２００１
に配置された表示装置２００３に表示する機能を有している。装置の操作は、操作ボタン
２００４によって行われる。
【００４４】
図６（Ｂ）に示すのは、携帯型のパーソナルコンピュータである。この装置は、本体２
１０１に装着された開閉可能なカバー（蓋）２１０２に表示装置２１０４が備えられ、キ
ーボード２１０３から各種情報を入力したり、各種演算操作を行うことができる。
【００４５】
図６（Ｃ）に示すのは、カーナビゲーションシステムにフラットパネルディスプレイを
利用した場合の例である。カーナビゲーションシステムは、アンテナ部２３０４と表示装
置２３０２を備えた本体から構成されている。
【００４６】
ナビゲーションに必要とされる各種情報の切り換えは、操作ボタン２３０３によって行
われる。一般には図示しないリモートコントロール装置によって操作が行われる。
【００４７】
図６（Ｄ）に示すのは、投射型の液晶表示装置の例である。図において、光源２４０２
から発せられた光は、液晶表示装置２４０３によって光学変調され、画像となる。画像は
、ミラー２４０４、２４０５で反射されてスクリーン２４０６に映し出される。
【実施例３】
【００４８】
本実施例の構成を図７に示す。図７に示されるように、本実施例においては、共通電位
を有した配線Ｃに接続されたダミー配線をＤ２’〜Ｄ８’から切り離された状態として配
置する。
【００４９】
このダミー配線は、Ｄ１〜Ｄ７の各配線と交叉し、Ｄ１〜Ｄ８の各配線が有する配線抵
抗と容量とが同じになるように機能する。
【図面の簡単な説明】
【００５０】
【図１】画像データ信号を供給する配線（Ｄ１〜Ｄ８）とサンプリング回路への配線（Ｄ１’〜Ｄ８’）とが交叉する部分を示すパターンの様子を示す図。
【図２】信号側駆動回路（ソースドライバー回路）の構成を示す図。
【図３】画像データ信号を供給する配線（Ｄ１〜Ｄ８）とサンプリング回路への配線（Ｄ１’〜Ｄ８’）とが交叉する部分のパターンの様子を示す図。
【図４】信号側駆動回路（ソースドライバー回路）の構成を示す図。
【図５】画像データ信号を供給する配線が有する配線抵抗と寄生容量とを示す等価図。
【図６】表示装置の応用例を示す図。
【図７】画像データ信号を供給する配線（Ｄ１〜Ｄ８）とサンプリング回路への配線（Ｄ１’〜Ｄ８’）とが交叉する部分を示すパターンの様子を示す図。
【図１】
2006099135.tif 000003
【図２】
2006099135.tif 000004
【図３】
2006099135.tif 000005
【図４】
2006099135.tif 000006
【図５】
2006099135.tif 000007
【図６】
2006099135.tif 000008
【図７】
2006099135.tif 000009